(57)【特許請求の範囲】
【請求項１】
ワイヤーハーネスの所望の経路に沿った形状を有し、近接配置された複数の電線が反対面側に位置変移しないように仮位置決めする電線仮位置決め部を設けた補強ロッド部材を備え、
前記電線仮位置決め部は、中央ロッド部の両側にそれぞれ突設され、凹形状の
電線収容スペースを有する一対の突出電線受け部であり、
この補強ロッド部材に沿うようにワイヤーハーネスを構成する複数の前記電線を近接配置し、この近接配置された複数の前記電線と前記補強ロッド部材とを前記電線仮位置決め部の箇所で拘束テープによって仮締結し、この仮締結した後に、複数の前記電線と前記補強ロッド部材とを拘束テープで本締結することを特徴とするワイヤーハーネスの配索方法。
【請求項２】
ワイヤーハーネスの所望の経路に沿った形状を有し、近接配置された複数の電線が反対面側に位置変移しないように仮位置決めする電線仮位置決め部を設けた補強ロッド部材を備え、
前記電線仮位置決め部は、中央ロッド部の両側にそれぞれ突出された一対の突
出壁部であり、一対の突出壁部の箇所が他の中央ロッド部の箇所より幅広に設け
られ、
この補強ロッド部材に沿うようにワイヤーハーネスを構成する複数の前記電線を近接配置し、この近接配置された複数の前記電線と前記補強ロッド部材とを前記電線仮位置決め部の箇所で拘束テープによって仮締結し、この仮締結した後に、複数の前記電線と前記補強ロッド部材とを拘束テープで本締結することを特徴とするワイヤーハーネスの配索方法。
【発明の詳細な説明】
【０００１】
【発明の属する技術分野】
本発明は、ワイヤーハーネスを所望の経路に沿って配索するワイヤーハーネスの配索方法に関する。
【０００２】
【従来の技術】
この種の従来例のワイヤーハーネスの配索方法としては、図５に示す特開平６−２３６７１３号公報に開示されたものがある。
【０００３】
このワイヤーハーネスの配索方法は、図５に示すように、ワイヤーハーネスＷを構成する複数の電線１０２に沿って可撓性被覆１００ａで覆われた棒状体１００を配置し、この棒状体１００と複数の電線１０２との外周を粘着テープ１０１で巻き付ける。粘着テープ１０１で巻き付けた後に、可撓性被覆１００ａを残して棒状体１００のみを粘着テープ１０１で締結されたワイヤーハーネスＷ内より引く抜くものである。
【０００４】
このワイヤーハーネスＷの配索方法であれば、ワイヤーハーネスＷの外周を成形プロテクタで被う配索方法に較べて単純な形状の棒状体１００を用いて安価にワイヤーハーネスＷを配索できるという利点がある。
【０００５】
【発明が解決しようとする課題】
しかしながら、上記した従来のワイヤーハーネスＷの配索方法では、棒状体１００に複数の電線１０２を近接配置する配索過程にあって、複数の電線１０２が棒状体１００に対して自由に位置変移可能であるため、電線１０２を位置決めするための位置決め用治具を使用しないと棒状体１００を中心に複数の電線１０２を配置する配索を安易にできない。棒状体１００を中心とした配索ができないということは、つまり、ワイヤーハーネスＷの所望の経路に沿った経路規制が容易にできないということになる。
【０００６】
そこで、本発明は、前記した課題を解決すべくなされたものであり、電線の位置決め用治具を使用することなく安易に補強ロッド部材を中心に複数の電線を配置した配索ができるワイヤーハーネスの配索方法を提供することを目的とする。
【０００７】
【課題を解決するための手段】
請求項１の発明は、ワイヤーハーネスの所望の経路に沿った形状を有し、近接配置された複数の電線が反対面側に位置変移しないように仮位置決めする電線仮位置決め部を設けた補強ロッド部材を備え、前記電線仮位置決め部は、中央ロッド部の両側にそれぞれ突設され、凹形状の電線収容スペースを有する一対の突出電線受け部であり、この補強ロッド部材に沿うようにワイヤーハーネスを構成する複数の前記電線を近接配置し、この近接配置された複数の前記電線と前記補強ロッド部材とを前記電線仮位置決め部の箇所で拘束テープによって仮締結し、この仮締結した後に、複数の前記電線と前記補強ロッド部材とを拘束テープで本締結することを特徴とする。
【０００８】
このワイヤーハーネスの配索方法では、補強ロッド部材に沿って複数の電線を配置すると、複数の電線が電線仮位置決め部によって仮位置決めされた状態となり、このように近接配置された複数の電線と補強ロッド部材とを拘束テープによって仮締結し、その後に本締結する。
【００１０】
また、このワイヤーハーネスの配索方法では、請求項１の発明の作用に加え、補強ロッド部材に近接配置された複数の電線は、凹形状の電線収容スペースに配置される。
【００１１】
請求項２の発明は、ワイヤーハーネスの所望の経路に沿った形状を有し、近接配置された複数の電線が反対面側に位置変移しないように仮位置決めする電線仮位置決め部を設けた補強ロッド部材を備え、前記電線仮位置決め部は、中央ロッド部の両側にそれぞれ突出された一対の突出壁部であり、一対の突出壁部の箇所が他の中央ロッド部の箇所より幅広に設けられ、この補強ロッド部材に沿うようにワイヤーハーネスを構成する複数の前記電線を近接配置し、この近接配置された複数の前記電線と前記補強ロッド部材とを前記電線仮位置決め部の箇所で拘束テープによって仮締結し、この仮締結した後に、複数の前記電線と前記補強ロッド部材とを拘束テープで本締結することを特徴とする。
【００１２】
このワイヤーハーネスの配索方法では、補強ロッド部材に沿って複数の電線を配置すると、複数の電線が電線仮位置決め部によって仮位置決めされた状態となり、このように近接配置された複数の電線と補強ロッド部材とを拘束テープによって仮締結し、その後に本締結する。また、電線仮位置決め部は、単に中央ロッド部より両側に突出した形状である。
【００１３】
【発明の実施の形態】
以下、本発明の実施形態を図面に基づいて説明する。
【００１４】
図１及び図２は本発明の第１実施形態を示し、図１はワイヤーハーネスと補強ロッド部材の斜視図、図２（ａ）はワイヤーハーネスの配索過程であって、複数の電線を補強ロッド部材に近接配置した状態を示す斜視図、図２（ｂ）はワイヤーハーネスの配索過程であって、複数の電線と補強ロッド部材とを仮締結している状態を示す斜視図である。
【００１５】
図１に示すように、補強ロッド部材１は、硬質材にて形成され、ワイヤーハーネスＷの所望の経路に沿った形状を有する中央ロッド部１ａとこの中央ロッド部１ａの一端に設けられた電線仮位置決め部である一対の突出電線受け部１ｂとから構成されている。一対の突出電線受け部１ｂは、中央ロッド部１ａの両側にそれぞれ突設され、上方が解放された凹形状の電線収容スペース２がそれぞれ形成されている。この第１実施形態では凹形状は円弧状に形成されており、左右を合わせた電線収容スペース２の大きさは、ワイヤーハーネスＷを構成する複数の電線３を収容可能な大きさに設けられている。
【００１６】
次に、ワイヤーハーネスＷの配索方法を説明する。先ず、図１の矢印で示すように、補強ロッド部材１に沿うように複数の電線３を近接配置し、図２（ａ）に示すように、この近接配置した複数の電線３を補強ロッド部材１の一対の突出電線受け部１ｂの位置では左右の電線収容スペース２にほぼ均等な数に分けて収容する。次に、図２（ｂ）に示すように、補強ロッド部１の突出電線受け部１ｂの外周を粘着テープ等の拘束テープ４で巻き付け、複数の電線３と補強ロッド部材１とを仮締結する。この仮締結に際して、複数の電線３が突出電線受け部１ｂによって反対面側に移動しないように仮位置決めされているため、作業者は拘束テープ４を使用して容易に仮締結作業ができる。
【００１７】
最後に、拘束テープ４で仮締結された補強ロッド部材１と複数の電線４とを長手方向のほぼ全域に亘って拘束テープ４により本締結すれば完了する。ワイヤーハーネスＷは、硬質の補強ロッド部材１の形状に沿って配索されるため、ワイヤーハーネスＷはその弾性復帰力や外力によって変形することがなく所望の経路に配索されることになる。
【００１８】
上記したワイヤーハーネスＷの配索方法では、補強ロッド部材１に沿って複数の電線３を配置すると、複数の電線３が電線仮位置決め部である一対の突出電線受け部１ｂによって仮位置決めされた状態となり、このように近接配置された複数の電線３と補強ロッド部材１とを拘束テープ４によって仮締結し、その後に本締結する。従って、電線３の位置決め用治具を使用することなく安易に補強ロッド部材１を中心に複数の電線３を配置した配索ができる。つまり、ワイヤーハーネスＷの所望の経路に沿った経路規制が容易にできる。
【００１９】
又、補強ロッド部材１は、従来例のようにワイヤーハーネスＷ内から引き抜かないため、ワイヤーハーネスＷの経路が折曲している場合にも対応可能であり、又、補強ロッド部材１はワイヤーハーネスＷの経路に沿った比較的単純な形状で、且つ、硬質の材質のものであれば足りる。以上より、ワイヤーハーネスＷの経路が折曲する場合にあっても、ワイヤーハーネスＷの外周を被う成形プロテクタに較べて単純な形状の補強ロッド部材１を用いて安価にワイヤーハーネスＷを配索できるという利点もある。
【００２０】
又、この第１実施形態では、電線仮位置決め部は、中央ロッド部１ａの両側にそれぞれ突設され、凹形状の電線収容スペース２を有する一対の突出電線受け部１ｂであるので、補強ロッド部材１に近接配置された複数の電線３は、凹形状の電線収容スペース２に配置されるため、容易に位置ずれせずに安定した仮位置決めがなされ、配索作業が容易である。
【００２１】
図３及び図４は本発明の第２実施形態を示し、図３はワイヤーハーネスと補強ロッド部材の斜視図、図４（ａ）はワイヤーハーネスの配索過程であって、複数の電線を補強ロッド部材に近接配置した状態を示す斜視図、図４（ｂ）はワイヤーハーネスの配索過程であって、複数の電線と補強ロッド部材とを仮締結している状態を示す斜視図である。
【００２２】
図３に示すように、補強ロッド部材１０は、硬質材にて形成され、ワイヤーハーネスＷの所望の経路に沿った形状を有する中央ロッド部１０ａとこの中央ロッド部１０ａの一端に設けられた電線仮位置決め部である一対の突出壁部１０ｂとから構成されている。この一対の突出壁部１０ｂは、中央ロッド部１０ａの上下両側で、且つ、中央ロッド部１０ａの面に沿ってそれぞれ突出され、その箇所が他の箇所よりも幅広に設けられている。一対の突出壁部１０ｂの上下端間の寸法は、ワイヤーハーネスＷを構成する複数の電線３を一対の突出壁部１０ｂの両側に分けて配置した際に複数の電線３を仕切可能な大きさに設けられている。
【００２３】
次に、ワイヤーハーネスＷの配索方法を説明する。先ず、図３の矢印で示すように、補強ロッド部材１０に沿うように複数の電線３を近接配置し、図４（ａ）に示すように、この近接配置した複数の電線３を補強ロッド部材１０の一対の突出壁部１０ｂの位置では左右にほぼ均等な数に分けて配置する。次に、図４（ｂ）に示すように、補強ロッド部１０の突出壁部１０ｂと複数の電線３との外周を粘着テープ等の拘束テープ４で巻き付け複数の電線３と補強ロッド部１０とを仮締結する。この仮締結に際して、複数の電線３が突出壁部１０ｂによって反対面側に移動しないように仮位置決めされているため、作業者は拘束テープ４を使用して容易に仮締結作業ができる。
【００２４】
最後に、拘束テープ４で仮締結された補強ロッド部材１０と複数の電線４とを長手方向のほぼ全域に亘って拘束テープ４により本締結すれば完了する。ワイヤーハーネスＷは、硬質の補強ロッド部材１０の形状に沿って配索されるため、ワイヤーハーネスＷはその弾性復帰力や外力によって変形することがなく所望の経路に配索されることになる。
【００２５】
上記したワイヤーハーネスＷの配索方法では、補強ロッド部材１に沿って複数の電線３を配置すると、複数の電線３が電線仮位置決め部である一対の突出壁部１０ｂによって仮位置決めされた状態となり、このように近接配置された複数の電線３と補強ロッド部材１０とを拘束テープ４によって仮締結し、その後に本締結する。従って、電線３の位置決め用治具を使用することなく安易に補強ロッド部材１０の周囲に複数の電線３を配置した状態での配索ができる。つまり、ワイヤーハーネスＷの所望の経路に沿った経路規制が容易にできる。
【００２６】
又、補強ロッド部材１０は、従来例のようにワイヤーハーネスＷ内から引き抜かないため、ワイヤーハーネスＷの経路が折曲している場合にも対応可能であり、又、補強ロッド部材１０はワイヤーハーネスＷの経路に沿った比較的単純な形状で、且つ、硬質の材質のものであれば足りる。以上より、前記第１実施形態と同様に、ワイヤーハーネスＷの経路が折曲する場合にあっても、ワイヤーハーネスＷの外周を被う成形プロテクタに較べて単純な形状の補強ロッド部材１０を用いて安価にワイヤーハーネスＷを配索できるという利点もある。
【００２７】
又、上記第２実施形態では、電線仮位置決め部は、中央ロッド部１０ａの両側にそれぞれ突出された一対の突出壁部１０ｂであるので、補強ロッド部材１０の形状がシンプルであり、作製が容易である。
【００２８】
【発明の効果】
以上説明したように、請求項１の発明によれば、ワイヤーハーネスの所望の経路に沿った形状を有し、電線仮位置決め部を設けた補強ロッド部材を備え、この補強ロッド部材に沿うように複数の前記電線を近接配置し、この近接配置された複数の前記電線と前記補強ロッド部材とを前記電線仮位置決め部の箇所で拘束テープによって仮締結し、この仮締結した後に、複数の前記電線と前記補強ロッド部材とを拘束テープで本締結するので、補強ロッド部材に沿って複数の電線を配置すると、複数の電線が電線仮位置決め部によって仮位置決めされた状態となり、このように近接配置された複数の電線と補強ロッド部材とを拘束テープによって仮締結し、その後に本締結する。従って、電線の位置決め用治具を使用することなく安易に補強ロッド部材を中心に複数の電線を配置した配索ができる。つまり、ワイヤーハーネスの所望の経路に沿った経路規制が容易にできる。
【００２９】
また、電線仮位置決め部は、凹形状の電線収容スペースを有する一対の突出電線受け部であるので、請求項１の発明の効果に加え、補強ロッド部材に近接配置された複数の電線は、凹形状の電線収容スペースに配置されるため、容易に位置ずれせずに安定した仮位置決めがなされ、配索作業が容易である。
【００３０】
請求項３の発明によれば、電線仮位置決め部は、中央ロッド部より幅広に設けられた一対の突出壁部であるので、請求項１の発明の効果に加え、電線仮位置決め部は、単に中央ロッド部より両側に突出した形状であるため、補強ロッド部材の形状がシンプルであり、作製が容易である。
【図面の簡単な説明】
【図１】本発明の第１実施形態を示し、ワイヤーハーネスと補強ロッド部材の斜視図である。
【図２】本発明の第１実施形態を示し、（ａ）はワイヤーハーネスの配索過程であって、複数の電線を補強ロッド部材に近接配置した状態を示す斜視図、（ｂ）はワイヤーハーネスの配索過程であって、複数の電線と補強ロッド部材とを仮締結している状態を示す斜視図である。
【図３】本発明の第２実施形態を示し、ワイヤーハーネスと補強ロッド部材の斜視図である。
【図４】本発明の第２実施形態を示し、（ａ）はワイヤーハーネスの配索過程であって、複数の電線を補強ロッド部材に近接配置した状態を示す斜視図、（ｂ）はワイヤーハーネスの配索過程であって、複数の電線と補強ロッド部材とを仮締結している状態を示す斜視図である。
【図５】従来例のワイヤーハーネスの配索方法をせつめいするための斜視図である。
【符号の説明】
１，１０  補強ロッド部材
１ａ，１０ａ  中央ロッド部
１ｂ  突出電線受け部（電線仮位置決め部）
２  電線収容スペース
３  電線
４  拘束テープ
１０ｂ  突出壁部（電線仮位置決め部）
Ｗ  ワイヤーハーネス
【図１】
0004014818.tif 000002
【図２】
0004014818.tif 000003
【図３】
0004014818.tif 000004
【図４】
0004014818.tif 000005
【図５】
0004014818.tif 000006